(57)【要約】  宅配ボックスの扉を施錠及び解錠する電気錠は、電気錠を解錠する解錠コードを入力操作するためのテンキー入力部（６４）と、テンキー入力部（６４）が取り付けられる錠本体部（１６）とを備える。テンキー入力部（６４）は、メンブレンスイッチシート（８０）と、メンブレンスイッチシート（８０）の表面に貼着される両面粘着シート（８２）と、両面粘着シート（８２）の表面に貼着される表示シート（８４）とを有する。メンブレンスイッチシート（８０）は、錠本体部（１６）の表面に形成された凹部（４６）に収まった状態で配置され、両面粘着シート（８２）のうちメンブレンスイッチシート（８０）からはみ出した部分は凹部（４６）の周囲において凹部（４６）より浅く形成された凹所（４８）に収まった状態で凹所（４８）の底面に貼着されている。
2020174720.tif 000002
【特許請求の範囲】
【請求項１】
宅配ボックスの扉を施錠及び解錠する電気錠であって、
前記電気錠を解錠する解錠コードを入力操作するためのテンキー入力部と、
前記テンキー入力部が取り付けられる錠本体部と、を備え、
前記テンキー入力部は、ユーザによる押圧操作を検知するメンブレンスイッチシートと、前記メンブレンスイッチシートの表面に前記メンブレンスイッチシートの外周縁部から外側にはみ出した状態で貼着される両面粘着シートと、前記両面粘着シートの表面に貼着される表示シートとを有し、
前記メンブレンスイッチシートは、前記錠本体部の表面に形成された凹部に収まった状態で配置され、前記両面粘着シートのうち前記メンブレンスイッチシートからはみ出した部分は前記凹部の周囲において前記凹部より浅く形成された凹所に収まった状態で前記凹所の底面に貼着されている、
宅配ボックス用電気錠。
【請求項２】
前記錠本体部の裏側には開口部を有する制御部収納ケースが一体に形成され、前記制御部収納ケースの開口部は蓋部材によって閉じられており、前記蓋部材の外周側壁部は前記制御部収納ケースの開口部の外周縁部の外側に重なって配置され、前記蓋部材の内側には前記開口部の外周縁部に当接する防水シートが設けられている、請求項１に記載の宅配ボックス用電気錠。
【請求項３】
前記錠本体部の後面であって錠本体部の外周縁部の内側に防水パッキンが前記錠本体部の外周縁部の全周にわたって設けられており、前記電気錠が宅配ボックスの扉の開口部に取り付けられたとき、前記扉の開口部の周縁部と前記錠本体部の外周縁部との間に防水パッキンが挟み付けられて配置される、請求項１又は２に記載の宅配ボックス用電気錠。
【発明の詳細な説明】
【技術分野】
【０００１】
本開示は、宅配ボックスの扉を施錠及び解錠する電気錠に関する。
【背景技術】
【０００２】
従来より、宅配ボックスの扉に電気錠を設け、この電気錠をスマートフォン等の通信端末を用いて解錠操作することが提案されている。このような電気錠は、例えば、制御基板やモータ等などの電装部品を内蔵して構成されるため、宅配ボックスの扉の表側から電気錠の内部に水が浸入することによって故障等が発生しないように防水構造を設ける必要がある。【０００３】
例えば、特許文献１には、電気錠用錠箱に内装される電装部品を、錠箱の外部から内部へと侵入する水分から保護するため、電装部品の真上に相当する錠箱の上壁に所定形状の開口部分を形成し、この開口部分に屋根形状の上面を有する弾性防水変を固定的に嵌め合わせて構成される電気錠用錠箱の防水構造が記載されている。
【先行技術文献】
【特許文献】
【０００４】
【特許文献１】特開２００９−１１４６８３号公報
【発明の概要】
【発明が解決しようとする課題】
【０００５】
上記のような宅配ボックス用電気錠において、ユーザがパスワード等の解錠コードを入力するためのテンキー入力部を備えることがある。一般に、テンキー入力部は、ユーザの押圧操作を検知するメンブレンスイッチシートを含んで構成され、メンブレンスイッチシートから電気配線が導出されて制御基板に接続される。したがって、テンキー入力部から電気錠内部への水の浸入を防止するため、電気錠の表面に設けられるテンキー入力部の構成を工夫する必要がある。【０００６】
本開示の目的は、テンキー入力部から内部への水の浸入を確実に防止できる宅配ボックス用電気錠を提供することにある。
【課題を解決するための手段】
【０００７】
本開示の宅配ボックス用電気錠は、宅配ボックスの扉を施錠及び解錠する電気錠であって、電気錠を解錠する解錠コードを入力操作するためのテンキー入力部と、テンキー入力部が取り付けられる錠本体部と、を備える。テンキー入力部は、ユーザによる押圧操作を検知するメンブレンスイッチシートと、メンブレンスイッチシートの表面にメンブレンスイッチシートの外周縁部から外側にはみ出した状態で貼着される両面粘着シートと、両面粘着シートの表面に貼着される表示シートとを有する。メンブレンスイッチシートは、錠本体部の表面に形成された凹部に収まった状態で配置され、両面粘着シートのうちメンブレンスイッチシートからはみ出した部分は凹部の周囲において凹部より浅く形成された凹所に収まった状態で凹所の底面に貼着されている。
【発明の効果】
【０００８】
本開示に係る宅配ボックス用電気錠によれば、テンキー入力部から内部への水の浸入を確実に防止できる。
【図面の簡単な説明】
【０００９】
【図１】本開示の一実施形態である宅配ボックス用電気錠の防水構造を備えた宅配ボックスを含む宅配ボックスシステムの使用形態を概略的に示す図である。
【図２】宅配ボックスに備えられている電気錠の前側斜視図である。
【図３】図２に示す電気錠の後側斜視図である。
【図４】電気錠のラッチが係合するボックス開口部内面に設けられた切欠部を示す斜視図である。
【図５】図２に示す電気錠において管理用シリンダー錠のカバーを取り外した状態を示す図である。
【図６】電気錠の機能ブロック図である。
【図７】テンキー入力部を分解斜視図である。
【図８】制御部収納ケースの蓋部材と防水シートとを取り外した状態で示す斜視図である。
【図９】図８中のＡ−Ａ線断面図である。
【発明を実施するための形態】
【００１０】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１１】
図１は、本開示の一実施形態である宅配ボックス用電気錠を備えた宅配ボックス１０を含む宅配ボックスシステム１の使用形態を概略的に示す図である。宅配ボックスシステム１は、複数の宅配ボックス１０を一体に備える。図１に例示する宅配ボックスシステム１では、宅配ボックス１０が３列５段に配列されている。宅配ボックスシステム１は、例えば、駅やコンビニエンスストアなどに設置される。
【００１２】
各宅配ボックス１０は、前面に設けられたボックス開口部を開閉する扉１２と、扉１２に設置された電気錠１４とを備える。宅配ボックス１０を利用する配送人Ｄ及び荷受人Ｒは、それぞれ携帯する通信端末であるスマートフォンＤＰ，ＲＰを使って荷物Ｎの納品及び受取りが可能である。スマートフォンＤＰ，ＲＰは、宅配ボックス１０の電気錠１４と近距離無線通信を行うと共に、クラウドＣと公衆回線又は専用回線を介して通信する。クラウドＣは、宅配ボックスシステム１の管理者のサーバによって好適に構成される。
【００１３】
図２は、宅配ボックス１０に備えられている電気錠１４の前側斜視図である。図３は、図２に示す電気錠１４の後側斜視図である。なお、図２及び図３（図４及び図５でも同様）には、互いに直交する前後方向、左右方向、及び、上下方向がそれぞれ矢印で示されている。ここでの左右方向は、電気錠１４を前方から見て「右」、「左」という。
【００１４】
電気錠１４は、宅配ボックス１０の扉１２の施錠及び解錠を行う機能を有する。図２及び図３に示すように、電気錠１４は、ハンドル１８及びラッチ２０を備える。ハンドル１８及びラッチ２０は、前方から見た正面視で横長の長方形状をなす錠本体部１６に取り付けられている。錠本体部１６は、例えば、樹脂成形品によって好適に構成される。
【００１５】
ハンドル１８は、扉１２を開放する際に操作される部材である。ハンドル１８は、錠本体部１６の凹部１７内に収納配置されている。ハンドル１８は、正面視で略Ｔ字状をなし、上下方向に延伸する操作部１８ａと、操作部１８ａから左右方向に沿って突出する腕部１８ｂとを有する。腕部１８ｂの端部は、錠本体部１６の内側に回動可能に設けられた軸部材（図示せず）に固定されている。これにより、ハンドル１８は、腕部１８ｂが固定された軸部材を中心に揺動可能になっている。
【００１６】
ラッチ２０は、錠本体部１６の後面に一体形成された筒状のガイド部２２内において、左右方向に移動可能に配置されている。ラッチ２０は、図示しない付勢部材によって左方向に常時付勢されており、その一端部２０ａが電気錠１４の錠本体部１６の左側端面から側方に突出している。ラッチ２０の一端部２０ａには、後方にいくに従って右側位置となる傾斜面２１が形成されている。
【００１７】
図４は、電気錠１４のラッチ２０が係合するボックス開口部内面に設けられた切欠部を示す斜視図である。図４に示すように、扉１２によって開閉される宅配ボックス１０の開口部１１の内面には、例えば金属平板からなるプレート２４がネジ留め等によって固定されている。このプレート２４には、例えば矩形状の切欠部２６が形成されている。扉１２が閉じられるとき、ラッチ２０の一端部２０ａが、傾斜面２１にプレート２４が当接することによって一旦引っ込んだ後、切欠部２６の位置まで到達すると一端部２０ａが切欠部２６に進入するように移動する。これにより、扉１２がボックス開口部１１を閉じた状態が維持される。他方、ラッチ２０は、電気錠１４がアンロック状態にあるとき、ハンドル１８の操作によって右方向にスライド移動する。これにより、ラッチ２０の一端部２０ａが切欠部２６から脱出し、扉１２を開放することができる。
【００１８】
このようにラッチ２０は、電気錠１４がアンロック状態にあるときハンドル１８の操作に連動して、扉１２によって開閉されるボックス開口部１１の内面に設けられた切欠部２６に一端部が出入りすることで、扉１２の開閉動作を行うことができる。
【００１９】
図４に示すように、プレート２４には、切欠部２６の近傍にマグネット２８が取り付けられている。マグネット２８は、例えば、ネジ留め等によってプレート２４に固定されている。本実施形態では、マグネット２８は、ラッチ２０の一端部２０ａが出入りする切欠部２６に対して上方且つ後側に配置されている。マグネット２８は、電気錠１４に設けられた開閉センサ６０（図２参照）によって検知されるか否かで、扉１２の開閉状態を検知するためのものである。
【００２０】
なお、本実施形態ではプレート２４に切欠部２６及びマグネット２８を配置した例について説明したが、これに限定されるものではなく、切欠部及びマグネットの少なくとも一方はボックス開口部１１の内面にプレート等を介することなく直に設けてもよい。
【００２１】
図５は、図２に示す電気錠１４において管理用シリンダー錠のカバーを取り外した状態を示す図である。図２、図３及び図５を参照すると、電気錠１４は、管理用シリンダー錠３０を更に備える。管理用シリンダー錠３０は、宅配ボックスシステム１の管理者が有する鍵を挿入して回動させることより、ハンドル１８がロック状態にあるときでもラッチ２０を一端部２０ａが切欠部２６（図４参照）から脱出した位置に移動させることができる。
【００２２】
管理用シリンダー錠３０は、鍵穴を有する前端面が錠本体部１６の前面から奥まった位置となって錠本体部１６に固定されている。図２に示すように、管理用シリンダー錠３０の前端面は、通常、例えば樹脂成形品からなる円盤状の前カバー３２によって覆われている。前カバー３２は、錠本体部１６の前面に例えば圧入、螺合等によって固定されている。前カバー３２には、凹条３４が形成されている。管理者は、例えば、コイン等を凹条３４に嵌め入れて回転させることによって、図５に示すように、前カバー３２を錠本体部１６から取り外して管理用シリンダー錠３０を露出させ、管理用シリンダー錠３０に鍵を挿入することが可能になる。このように通常時には管理用シリンダー錠３０の鍵穴がある前端面が前カバー３２によって覆われていることで、鍵穴に異物を挿入される等のいたずらを防止することができる。
【００２３】
図３に示すように、管理用シリンダー錠３０の後部は、例えば、樹脂成形品からなる後カバー３６によって覆われている。後カバー３６は、例えばネジ留め等によって錠本体部１６に固定されている。管理用シリンダー錠３０の後端面には突起が突設されている。管理用シリンダー錠３０の鍵穴に管理者が有する鍵を挿入して回動させると、管理用シリンダー錠３０の後端面に設けた突起が回動して、ラッチ２０に連結されている連結部材を右方向に押圧する。これにより、ロック機構４０によってハンドル１８がロック状態にあるときでもラッチ２０を一端部２０ａが切欠部２６（図４参照）から脱出した位置に移動させることができる。
【００２４】
図３に示すように、ラッチ２０の他端部には、緊急脱出用レバー２７が取り付けられている。緊急脱出用レバー２７は、ロック機構４０によってハンドル１８がロック状態にあるときでもラッチ２０を一端部２０ａが切欠部２６から脱出した位置に移動させることができる。これにより、万一に宅配ボックス１０内に子供等が閉じ込められた場合でも、緊急脱出用レバー２７を操作してラッチ２０を右方向に移動させることで扉１２が開放可能となり、宅配ボックス１０の安全性が確保される。
【００２５】
電気錠１４は、ロック機構４０を更に備える。ロック機構４０は、ハンドル１８による扉１２の開放操作を規制するロック状態又は開放操作を許可するアンロック状態にする機能を有する。
【００２６】
図３に示すように、ロック機構４０は、例えば樹脂成型品からなるケース４２に収納された状態で、電気錠１４の錠本体部１６の後面側に設けられている。ケース４２は、錠本体部１６においてラッチ２０をスライド可能に収容するガイド部２２と一体に形成された平板状のベース部２３の上に、例えばネジ留め等によって取り付けられている。
【００２７】
ロック機構４０は、ロック用モータ及びロックレバー（いずれも図示せず）を備える。ロック用モータの動作は、後述する制御部によって制御される。通常、ロックレバーは、ハンドル１８の操作に連動して回転するロック部材の突出部に係合に位置している。これにより、ハンドル１８の回動が規制されて操作不能となり、宅配ボックス１０は施錠状態すなわちロック状態になっている。
【００２８】
この状態で、ロック用モータによってロックレバーが回動され、ハンドル１８の操作に連動して回転するロック部材の突出部と係合しない位置にロックレバーが回動すると、ロック機構４０はアンロック状態となる。これにより、ハンドル１８が操作可能となり、宅配ボックス１０は解錠状態すなわちアンロック状態となる。
【００２９】
なお、ロック機構４０は、ロック状態であることを検知するロックセンサを備えてもよい。ロックセンサは、例えば、ロックレバーの回動位置を検知するマイクロスイッチによって好適に構成される。
【００３０】
再び図２を参照すると、電気錠１４は、テンキー入力部６４を更に備える。本実施形態の電気錠１４において、テンキー入力部６４は、錠本体部１６の前面のうち右側部分に配置されている。テンキー入力部６４は、荷受人のスマートフォンＲＰに届いた例えばパスワード等の解錠用番号の入力を受け付ける機能を有する。
【００３１】
テンキー入力部６４は、「１」〜「９」及び「０」の１０個の数字キーを含むのに加えて、取消キー６５及びエンターキー６６を含む。また、テンキー入力部６４の上部には点灯部６７が設けられているのが好ましい。点灯部６７の光源には、ＬＥＤ（Ｌｉｇｈｔ  Ｅｍｉｔｔｉｎｇ  Ｄｉｏｄｅ）が好適に用いられる。点灯部６７は、電気錠１４が解錠されたときに点灯されることで、配送人及び荷受人を含むユーザに電気錠１４がアンロック状態にあることを報知する機能を有する。なお、テンキー入力部６４の構造の詳細については後述する。
【００３２】
図３に示すように、電気錠１４の錠本体部１６の後面には、制御部収納ケース１５が設けられている。制御部収納ケース１５の後側開口部は、蓋部材１９によって閉じられている。これにより、扉１２の内側から制御部収納ケース１５内への浸水が防止される。蓋部材１９の内面には、防水効果を高めるためにパッキン部材を設けることが好ましい。
【００３３】
制御部収納ケース１５は、電気錠１４の錠本体部１６において前面側のテンキー入力部６４と前後方向に揃った位置に設けられている。これにより、制御部収納ケース１５内に配置される制御部や電源部とテンキー入力部６４との間の配線が容易になる。また、ロック機構４０に含まれるロック用モータもまた、ロック機構４０において制御部収納ケース１５に近い端部側に配置されている。これにより、制御部収納ケース１５内に配置される制御部や電源部とロック用モータとの間の配線が容易になる。
【００３４】
図６は、宅配ボックス１０の電気錠１４の機能ブロック図である。図６に示すように、電気錠１４は、上述したようにロック用モータ、開閉センサ６０及びテンキー入力部６４を備えるのに加えて、電源部７０、通信部７２、制御部７４、及び記憶部７６を更に備える。通信部７２、制御部７４及び記憶部７６は、制御基板７８に実装された状態で制御部収納ケース１５内に収納されてもよい。
【００３５】
本実施形態の電気錠１４において電源部７０は、制御部収納ケース１５内に収納されている。電源部７０は、上述した各部６０，６４，７２，７４などに動作用電力を供給する。電源部７０は、例えば１本又は複数本の電池によって好適に構成される。このように電源部７０を電池によって構成することで、宅配ボックスシステム１を電気配線工事なしで設置することができるので、施工性が良好となり設置コストを低減できる。
【００３６】
通信部７２は、配送人及び荷受人のスマートフォンＤＰ，ＲＰから送信される解除信号を近距離無線により受信する機能を有する。通信部７２は、スマートフォンＤＰ，ＲＰとの間で、例えばＢＬＥ(Ｂｌｕｅｔｏｏｔｈ（登録商標）  Ｌｏｗ  Ｅｎｅｒｇｙ）通信などの近距離無線通信を行う。より詳しくは、通信部７２は、スマートフォンＤＰ，ＲＰとの間でのみ近距離無線通信を行い、それ以外の外部との通信を行わないことが好ましい。これにより、通信に必要な電力消費を抑制でき、電池からなる電源部７０の長寿命化を図れる。
【００３７】
制御部７４は、通信部７２又はテンキー入力部６４によって受け付けた解錠信号または解錠用番号が認証されたときロック用モータを駆動してロック機構４０をアンロック状態とする機能を有する。制御部７４は、例えばマイクロプロセッサ等によって好適に構成される。
【００３８】
また、制御部７４は、開閉センサ６０及びロックセンサの各検知結果を、通信部７２から、配送人Ｄ又は荷受人ＲのスマートフォンＤＰ，ＲＰを介して外部に送信する機能する。この通信もまた、例えばＢＬＥ通信などの近距離無線通信によって行われる。スマートフォンＤＰ，ＲＰに送信された開閉センサ６０及びロックセンサの各検知結果は、スマートフォンＤＰ，ＲＰから公衆回線等を介してクラウドＣ（例えば、管理者のサーバ等）に送信される。
【００３９】
記憶部７６は、宅配ボックス１０への荷物の納品や宅配ボックス１０からの荷物の受取りの際に行われるセキュリティ認証に必要なプログラムやデータを記憶する機能を有する。記憶部７６は、例えば、宅配ボックス１０の使用履歴(例えば、扉１２の開閉日時、電気錠１４の解錠日時等)を記憶してもよい。
【００４０】
次に、図７〜図９を参照して、本実施形態の宅配ボックス用電気錠の防水構造について説明する。図７は、テンキー入力部６４を分解斜視図である。図８は、制御部収納ケース１５の蓋部材１９と防水シート９０とを取り外した状態で示す斜視図である。図９は、図８中のＡ−Ａ線断面図である。
【００４１】
上述したように、電気錠１４は、テンキー入力部６４を備える。図７に示すように、テンキー入力部６４は、錠本体部１６の前側の表面４４に取り付けられている。本実施形態では、テンキー入力部６４は、メンブレンスイッチシート８０、両面粘着シート８２、及び、表示シート８４を有する。
【００４２】
テンキー入力部６４が取り付けられる錠本体部１６の表面４４には、凹部４６が形成されている。凹部４６は、テンキー入力部６４のうちメンブレンスイッチシート８０が収まった状態で配置される部位である。凹部４６は、前方から見た正面視で、例えば、縦長の長方形状をなしている。凹部４６の底面において左右両側には、例えば縦長の長方形状をなすフィルム配線挿通孔４７がそれぞれ形成されている。
【００４３】
錠本体部１６の表面４４において、凹部４６の周囲には、凹所４８が形成されている。本実施形態において凹所４８は、凹部４６に対して相似をなす長方形状の外形を有する。また、凹所４８は、凹部４６よりも浅い凹み深さに形成され、凹所４８と凹部４６の間には段差部４９が形成されている。この段差部４９の前後方向の高さは、メンブレンスイッチシート８０の厚さと略同じに形成されている。また、凹部４６の外形は、メンブレンスイッチシート８０と略同じ大きさの長方形状に形成されている。これにより、凹部４６内にメンブレンスイッチシート８０が収容配置されたとき、凹所４８の底面がメンブレンスイッチシート８０の表面と略面一となり、また、メンブレンスイッチシート８０の外周縁部と凹部４６の外周縁部である段差部４９との間に隙間がほとんど形成されない。
【００４４】
テンキー入力部６４のうち、メンブレンスイッチシート８０は、ユーザによる押圧操作を検知する機能を有する。メンブレンスイッチシート８０には、テンキー入力部に含まれる「１」〜「９」及び「０」の数字キーに対応する１０個の円形のスイッチ部８６と、取消キー６５及びエンターキー６６に対応する２つの円形のスイッチ部８６が実装されている。また、メンブレンスイッチシート８０には、点灯部６７の光源であるＬＥＤ８８が実装されている。これらのスイッチ部８６及びＬＥＤ８８は、メンブレンスイッチシート８０に形成されたプリント配線（図示せず）を介してフィルム配線８９に接続される。フィルム配線８９は、凹部４６の底面に形成されたフィルム配線挿通孔４７を通して制御部収納ケース１５内に導入されて制御基板７８（図６参照）に接続される。
【００４５】
テンキー入力部６４のうち両面粘着シート８２は、メンブレンスイッチシート８０の表面にメンブレンスイッチシート８０の外周縁部から外側にはみ出した状態で貼着されている。両面粘着シート８２は、前方から見た正面視で、凹所４８の外形と略同じ大きさの長方形状に形成されている。両面粘着シート８２のうち前記メンブレンスイッチシート８０からはみ出した部分は、凹部４６の周囲に形成された凹所４８に収まった状態で凹所４８の底面に貼着されている。これにより、両面粘着シート８２は、凹所４８内に収容配置されるとともに、凹所４８の外周縁部と両面粘着シート８２の外周縁部との間に隙間がほとんど形成されない。
【００４６】
両面粘着シート８２の表面、すなわち、メンブレンスイッチシート８０とは反対側の表面には、表示シート８４が貼着されている。表示シート８４には、テンキー入力部６４に含まれる「１」〜「９」及び「０」の数字キー、取消キー６５及びエンターキー６６、並びに、点灯部６７の各表示が付されている。
【００４７】
表示シート８４は、前方から見た正面視で、両面粘着シート８２と略同じ形状に形成されている。また、表示シート８４は、両面粘着シート８２の表面に貼着された状態で凹所４８内に収まった状態で配置され、このとき表示シート８４の外周縁部と凹所４８の外周縁部との間には隙間がほとんど形成されない。
【００４８】
図８及び図９に示すように、制御部収納ケース１５は、錠本体部１６の裏側である後面に一体に形成されている。制御部収納ケース１５は、後方に開口部を有する有底筒状に形成されている。
【００４９】
制御部収納ケース１５の開口部は、蓋部材１９によって閉じられている。蓋部材１９は、天板部１９ａと、この天板部１９ａの外周縁部に連設されている外周側壁部１９ｂとを有し、外周側壁部１９ｂは制御部収納ケース１５の開口部の外周縁部の外側に重なって配置されている。また、蓋部材１９の内側には制御部収納ケース１５の開口部の外縁部に当接する防水シート９０が設けられている。防水シート９０は、例えば、スポンジゴム等によって好適に構成される。
【００５０】
図８に示すように、蓋部材１９の外周側壁部１９ｂのうち上側部分には、２つのフック孔９５が形成されている。フック孔は、蓋部材１９の外周側壁部１９ｂのうち下側部分にも形成されている。これらのフック孔９５が制御部収納ケース１５の外周側面に形成された突起部９４に係合することによって、蓋部材１９が制御部収納ケース１５の開口部を閉じた状態で取り付けられる。また、このとき防水シート９０は、制御部収納ケース１５の開口部の外周縁部と蓋部材１９の天板部１９ａとの間に挟まれて防水機能を発揮する。
【００５１】
本実施形態の電気錠１４では、錠本体部１６の後面であって錠本体部１６の外周縁部の内側部分に、防水パッキン９２が設けられている。防水パッキン９２は、正面視で長方形状をなす錠本体部１６の外周縁部の全周に沿って配置されている。防水パッキン９２は、例えば、スポンジゴム等によって好適に構成される。防水パッキン９２は、電気錠１４が宅配ボックス１０の扉１２の開口部に取り付けられたとき、錠本体部１６と扉１２の開口部の外周縁部との間に挟まれた状態となる。これにより、扉１２の外側から電気錠１４に水が浸入するのを防止できる。
【００５２】
上述したように本実施形態の宅配ボックス用電気錠１４は、電気錠を解錠する解錠コードを入力操作するためのテンキー入力部６４と、テンキー入力部６４が取り付けられる錠本体部１６とを備える。テンキー入力部６４は、ユーザによる押圧操作を検知するメンブレンスイッチシート８０と、メンブレンスイッチシート８０の表面にメンブレンスイッチシート８０の外周縁部から外側にはみ出した状態で貼着される両面粘着シート８２と、両面粘着シート８２の表面に貼着される表示シート８４とを有する。メンブレンスイッチシート８０は、錠本体部１６の表面に形成された凹部４６に収まった状態で配置され、両面粘着シート８２のうちメンブレンスイッチシート８０からはみ出した部分は凹部４６の周囲において凹部４６より浅く形成された凹所４８に収まった状態で凹所４８の底面に貼着されている。
【００５３】
この構成によれば、メンブレンスイッチシート８０が凹部４６内に収まった状態で配置され、その表面を覆って両面粘着シート８２及び表示シート８４が上記凹部４６の周囲に形成された凹所４８に収まった状態で且つ凹所４８の底面に貼着されて配置されていることで、電気錠１４の外側からテンキー入力部６４に水が浸入するのを確実に防止することができる。
【００５４】
本実施形態の電気錠１４において、錠本体部１６の裏側には開口部を有する制御部収納ケース１５が一体に形成され、制御部収納ケース１５の開口部は蓋部材１９によって閉じられている。蓋部材１９の外周側壁部１９ｂは制御部収納ケース１５の開口部の外周縁部の外側に重なって配置され、蓋部材１９の内側には制御部収納ケース１５の開口部の外周縁部に当接する防水シート９０が設けられている。この構成によれば、制御部収納ケース１５の開口部から内部に水が浸入するのを確実に防止することができる。
【００５５】
さらに、本実施形態の電気錠１４において、錠本体部１６の後面であって錠本体部１６の外周縁部の内側に防水パッキン９２が全周にわたって設けられており、電気錠１４が宅配ボックス１０の扉１２の開口部に取り付けられたとき、扉１２の開口部の周縁部と錠本体部１６の外周縁部との間で防水パッキン９２が挟み付けられて配置される。これにより、扉１２の外側から電気錠１４の内部に水が浸入するのをより確実に防止することができる。
【００５６】
なお、本開示は上述した実施形態およびその変形例に限定されるものではなく、本願の特許請求の範囲に記載された事項の範囲内において種々の変更や改良が可能であることはもちろんである。
【符号の説明】
【００５７】
１  宅配ボックスシステム、１０  宅配ボックス、１１  ボックス開口部、１２  扉、１４  宅配ボックス用電気錠、１５  制御部収納ケース、１６  錠本体部、１７  凹部、１８  ハンドル、１９  蓋部材、２０  ラッチ、２１  傾斜面、２２  ガイド部、２３  ベース部、２４  プレート、２６  切欠部、２７  緊急脱出用レバー、２８  マグネット、３０  管理用シリンダー錠、３２  前カバー、３４  凹条、３６  後カバー、４０  ロック機構、４２  ケース、４４  （錠本体部の）表面、４６  凹部、４７  フィルム配線挿通孔、４８  凹所、６０  開閉センサ、６４  テンキー入力部、６５  取消キー、６６  エンターキー、６７  点灯部、７０  電源部、７２  通信部、７４  制御部、７６  記憶部、７８  制御基板、８０  メンブレンスイッチシート、８２  両面粘着シート、８４  表示シート、８６  スイッチ部、８９  フィルム配線、９０  防水シート、９２  防水パッキン、９４  突起部、９５  フック孔、Ｃ  クラウド、Ｄ  配送人、ＤＰ，ＲＰ  スマートフォン、Ｎ  荷物、Ｒ  荷受人。
【図１】
2020174720.tif 000003
【図２】
2020174720.tif 000004
【図３】
2020174720.tif 000005
【図４】
2020174720.tif 000006
【図５】
2020174720.tif 000007
【図６】
2020174720.tif 000008
【図７】
2020174720.tif 000009
【図８】
2020174720.tif 000010
【図９】
2020174720.tif 000011
【国際調査報告】
2020174720.tif 000012
2020174720.tif 000013
2020174720.tif 000014
2020174720.tif 000015